(57)【特許請求の範囲】
【請求項１】
第１の発光色の第１光源および第２の発光色の第２光源と、
記第１光源および前記第２光源の各々に対して独立に調光制御を行う光源点灯回路と、を備え、
前記光源点灯回路は、前記第１光源の第１発光色の光と前記第２光源の第２発光色の光とを混合した照明光によって照明が行われている状態で、前記第１光源および前記第２光源を共に消灯させる場合に、前記第１光源および前記第２光源のうちのいずれか一方が、いずれか他方に比べてより早く調光下限に達したときでも、前記いずれか他方が前記調光下限に達するまで、前記いずれか一方の前記調光下限に対応する明るさでの点灯を継続させ、前記いずれか他方が前記調光下限に達すると、前記いずれか一方と前記いずれか他方を消灯させる照明器具。
【請求項２】
請求項１に記載の照明器具において、
前記光源点灯回路は、前記いずれか他方が前記調光下限に達すると、前記第１光源および前記第２光源の各々について、消灯用の明るさ制御であるフェード制御を実行し、前記第１光源および前記第２光源の各々の明るさを、前記調光下限に対応する明るさから徐々に低下させて消灯に至らせる照明器具。
【発明の詳細な説明】
【技術分野】
【０００１】
本発明は、ＬＥＤ（発光ダイオード）を光源として天井面等に設置される照明器具に関する。
【背景技術】
【０００２】
従来より、ＬＥＤを光源として天井面に取り付けられて下方を照明する照明器具が知られている（例えば、特許文献１参照）。
特許文献１に記載の照明器具は、天井面に吊り下げられる器具本体の底面に、光を下方に照射する複数個のＬＥＤを装備し、透光性を有して器具本体に対してＬＥＤの光が出射する方向を変化させるように回動可能に連結された導光体を備える。
【先行技術文献】
【特許文献】
【０００３】
【特許文献１】特許４３６３３８７号公報（図１、段落００１０）
【発明の概要】
【発明が解決しようとする課題】
【０００４】
特許文献１に記載の照明器具は、導光体を器具本体に対して回動させることにより、配光を容易に変更することができる。
ところで、特許文献１に記載の照明器具と同様に、器具本体の底面に、複数個のＬＥＤを装備し、複数のＬＥＤを調光制御する照明器具が提案されている。
このような従来の照明器具は、複数の光色の異なる複数のＬＥＤが組み合わされて用いられる。
そして、このような従来の照明器具は、ＬＥＤをパルス点灯させ、そのデューティ比（オン時間とオフ時間との比）を変化させて発光時間である発光量を変えて調光制御が行われる。
しかし、このような従来の照明器具は、異なる光色のＬＥＤ毎に調光制御を行う場合、一方の光色のＬＥＤが調光の下限値に到達した際に、他方の光色のＬＥＤが調光の下限値以前にあると、他方の光色のＬＥＤの光のみが目立って使用者に違和感を与える。
【０００５】
本発明は、従来の問題を解決するためになされたもので、その目的は、使用者への違和感を防止できる照明器具を提供することを目的とする。
【課題を解決するための手段】
【０００６】
本発明に係る照明器具は、第１の発光色の第１光源および第２の発光色の第２光源と、 記第１光源および前記第２光源の各々に対して独立に調光制御を行う光源点灯回路と、を備え、前記光源点灯回路は、前記第１光源の第１発光色の光と前記第２光源の第２発光色の光とを混合した照明光によって照明が行われている状態で、前記第１光源および前記第２光源を共に消灯させる場合に、前記第１光源および前記第２光源のうちのいずれか一方が、いずれか他方に比べてより早く調光下限に達したときでも、前記いずれか他方が前記調光下限に達するまで、前記いずれか一方の前記調光下限に対応する明るさでの点灯を継続させ、前記いずれか他方が前記調光下限に達すると、前記いずれか一方と前記いずれか他方を消灯させる。
【０００７】
本発明に係る照明器具は、前記光源点灯回路は、前記いずれか他方が前記調光下限に達すると、前記第１光源および前記第２光源の各々について、消灯用の明るさ制御であるフェード制御を実行し、前記第１光源および前記第２光源の各々の明るさを、前記調光下限に対応する明るさから徐々に低下させて消灯に至らせる。
【発明の効果】
【０００８】
本発明に係る照明器具によれば、使用者への違和感を防止できるという効果を奏する。
【図面の簡単な説明】
【０００９】
【図１】本発明に係る一実施形態の照明器具の斜め下方から視た分解斜視図
【図２】本発明に係る一実施形態の照明器具の垂直断面図
【図３】本発明に係る一実施形態の照明器具の底面図
【図４】本発明に係る一実施形態の照明器具のブロック構成図
【図５】本発明に係る一実施形態の照明器具の調光と時間との関係図
【図６】本発明に係る一実施形態の照明器具の変形例の調光と時間との関係図
【図７】本発明に係る一実施形態の照明器具の変形例の調光と時間とのタイミングチャート
【発明を実施するための形態】
【００１０】
以下、本発明に係る一実施形態の照明器具について図面を参照して説明する。
図１に示すように、本発明に係る一実施形態の照明器具１０は、器具本体１１と、器具本体１１の上面に取り付けられる上部ＬＥＤユニット１２と、上部ＬＥＤユニット１２の上部を覆う上部枠１３とを備える。
また、照明器具１０は、上部枠１３の上部に取り付けられる上部パネル１４と、器具本体１１の下面にねじ１６により取り付けられる反射板１５と、反射板１５の下面に取り付けられる下部ＬＥＤユニット１７とを備える。
そして、照明器具１０は、反射板１５の下面に取り付けられる受光ユニット１８と、反射板１５の下面に取り付けられる下部パネル１９とを備える。
【００１１】
図２に示すように、器具本体１１は、天井面１に設置されている引掛シーリング２に掛止されることにより、機械的に取り付けられて電気的に接続される取付金具２０を中央に有する。
器具本体１１は、厚みの薄い金属製板部材により成形されており、中央部天板２１と、中央部天板２１の外側部に接続された上部側板２２と、上部側板２２に接続された側部天板２３と、側部天板２３の外側部に接続された下部側板２４とを有する。
【００１２】
上部ＬＥＤユニット１２は、ＬＥＤ基板２５が器具本体１１の上部側板２２の外面において側方に照射方向を向けて取り付けられており、透光性を有するレンズカバー２６を有する。
上部ＬＥＤユニット１２は、駆動されることにより、レンズカバー２６を通じて器具本体１１の側部および天井面１に向けて光を出射する。
下部ＬＥＤユニット１７は、ＬＥＤ基板２７が器具本体１１の上部側板２２の下面において内方に照射方向を向けて取り付けられており、透光性を有するレンズカバー２８を有する。
下部ＬＥＤユニット１７は、駆動されることにより、レンズカバー２８を通じ、反射板１５により反射した光を器具本体１１の下方に向けて出射する。
【００１３】
図３に示すように、上部ＬＥＤユニット１２は、器具本体１１の＋Ｘ方向に配置される第１上部ＬＥＤユニット２９と、器具本体１１の−Ｘ方向に配置される第２上部ＬＥＤユニット３０とを備える。
また、上部ＬＥＤユニット１２は、器具本体１１の＋Ｙ方向に配置される第３上部ＬＥＤユニット３１と、器具本体１１の−Ｙ方向に配置される第４上部ＬＥＤユニット３２とを備える。
このとき、第２上部ＬＥＤユニット３０は、照射方向を、部屋内のテレビの背面に向けて配置されるのが好ましい。
下部ＬＥＤユニット１７は、器具本体１１の＋Ｙ方向に配置される一対の第１下部ＬＥＤユニット３３と、器具本体１１の−Ｙ方向に配置される一対の第２上部ＬＥＤユニット３４とを備える。
【００１４】
図４に示すように、照明器具１０は、電源部３５と、リモコン受光部３６とを備え、電源部３５に光源点灯回路３７を備える。
光源点灯回路３７は、電源が接続されるチョッパ電源回路ブロック３８と、電源が接続される通電入力回路ブロック３９と、チョッパ電源回路ブロック３８に接続される電源回路ブロック４０とを備える。
また、光源点灯回路３７は、チョッパ電源回路ブロック３８に接続される第１回路ブロック４１と、第２回路ブロック４２と、第３回路ブロック４３と、第４回路ブロック４４とを備える。
【００１５】
第１回路ブロック４１は、複数の第１種ＬＥＤ４５に給電する。第１種ＬＥＤ４５は、白色ＬＥＤであって下部ＬＥＤユニット１７に有する第１下部ＬＥＤユニット３３および第２上部ＬＥＤユニット３４に取り付けられる。
第２回路ブロック４２は、複数の第２種ＬＥＤ４６に給電する。第２種ＬＥＤ４６は、電球色ＬＥＤであって、下部ＬＥＤユニット１７に有する第１下部ＬＥＤユニット３３および第２上部ＬＥＤユニット３４に取り付けられる。
このとき、第１種ＬＥＤ４５と第２種ＬＥＤ４６とは、第１下部ＬＥＤユニット３３および第２上部ＬＥＤユニット３４に２個ずつ互い違いに取り付けられる。
【００１６】
第３回路ブロック４３は、複数の第３種ＬＥＤ４７に給電する。第３種ＬＥＤ４７は、電球色ＬＥＤである。
第３種ＬＥＤ４７は、上部ＬＥＤユニット１２において第２上部ＬＥＤユニット３０を除く、第１上部ＬＥＤユニット２９と、第３上部ＬＥＤユニット３１と、第４上部ＬＥＤユニット３２とに取り付けられる。
第４回路ブロック４４は、第４種ＬＥＤ４８に給電する。第４種ＬＥＤ４８は、上部ＬＥＤユニット１２の第２上部ＬＥＤユニット３０に取り付けられる。
【００１７】
リモコン受光部３６は、電源部３５の電源回路ブロック４０に接続される電源回路ブロック４９と、電源回路ブロック４９に接続されるマイコン周辺回路部５０とを備える。マイコン周辺回路部５０には、通電入力回路ブロック３９からＩＮＴ信号が与えられる。
リモコン受光部３６は、電源回路ブロック４９に接続されるとともにマイコン周辺回路部５０に接続され、外部信号が与えられる信号入力回路ブロック５１を備える。
リモコン受光部３６は、電源回路ブロック４９に接続されるとともにマイコン周辺回路部５０に接続される記憶回路ブロック５２と、マイコン周辺回路部５０に操作信号を与える操作スイッチ（操作ＳＷ）５３とを備える。
【００１８】
リモコン受光部３６は、第１回路ブロック４１と、第２回路ブロック４２と、第３回路ブロック４３と、第４回路ブロック４４とのそれぞれの出力側に接続される過電圧検出入力ブロック５４とを備える。
リモコン受光部３６は、赤外線センサ等から構成される省エネセンサ（センサ）５５から与えられたセンシング信号をマイコン周辺回路部５０とで授受するためのセンサ回路ブロック５６を備える。
リモコン受光部３６は、マイコン周辺回路部５０からのデューティ調光出力を、第１回路ブロック４１と、第２回路ブロック４２と、第３回路ブロック４３と、第４回路ブロック４４とのそれぞれの入力側に与える出力回路ブロック５７を備える。
また、出力回路ブロック５７は、マイコン周辺回路部５０からの昇圧チョップ電源出力をチョッパ電源回路ブロック３８に与える。
【００１９】
次に、光源点灯回路３７の制御動作について説明する。
図５に示すように、光源点灯回路３７は、白色ＬＥＤであって光色Ａの色温度を有する第１種ＬＥＤ４５と、電球色ＬＥＤであって光色Ｂの色温度を有する第２種ＬＥＤ４６とを独立して調光制御する。
センサ５５から下限に向けた調光制御信号がリモコン受光部３６に与えられることにより、第１回路ブロック４１からの調光制御の給電に伴い、時点Ｔ１において第１種ＬＥＤ４５が調光下限値に到達する。
しかし、第１回路ブロック４１は、時点Ｔ１において、第１種ＬＥＤ４５を消灯させずに、調光下限値のまま保持する。
従って、第１種ＬＥＤ４５は、調光下限値のまま点灯を続ける。
【００２０】
時点Ｔ１の以後の時点Ｔ２において、第１種ＬＥＤ４５が調光下限値において点灯中に、第２回路ブロック４２からの調光制御の給電に伴い、時点Ｔ２において第２種ＬＥＤ４６が調光下限値に到達する。
これに伴い、光源点灯回路３７は、第１回路ブロック４１および第２回路ブロック４２からの調光制御の給電を停止させる。
従って、時点Ｔ２において、第１種ＬＥＤ４５および第２種ＬＥＤ４６がいずれも消灯される。
【００２１】
このように、光源点灯回路３７は、調光操作により、第１種ＬＥＤ４５が調光下限となった後に、第２種ＬＥＤ４６が調光下限にきたときに第１種ＬＥＤ４５および第２種ＬＥＤ４６を消灯させる。
従って、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
これにより、光色Ｂの第２種ＬＥＤ４６の光のみが目立って使用者に違和感を与えることがないので、使用者への違和感を防止できる。
また、一般にＬＥＤを用いた照明器具は、電源に分解能がない場合、調光が滑らかにならず、ガタつくことがあるが、前述した実施形態の照明器具１０では、これを緩和できる。
【００２２】
次に、照明器具１０の変形例について説明する。
図６に示すように、本変形例の光源点灯回路３７は、白色ＬＥＤであって光色Ａの色温度を有する第１種ＬＥＤ４５と、電球色ＬＥＤであって光色Ｂの色温度を有する第２種ＬＥＤ４６とを独立して調光制御する。
下限に向けた調光制御信号がリモコン受光部３６に与えられることにより、第１回路ブロック４１からの調光制御の給電に伴い、時点Ｔ１において第１種ＬＥＤ４５が調光下限値に到達する。
しかし、第１回路ブロック４１は、時点Ｔ１において、第１種ＬＥＤ４５を消灯させずに、調光下限値のまま保持する。
従って、第１種ＬＥＤ４５は、調光下限値のまま点灯を続ける。
【００２３】
時点Ｔ１の以後の時点Ｔ２において、第１種ＬＥＤ４５が調光下限値において点灯中に、第２回路ブロック４２からの調光制御の給電に伴い、時点Ｔ２において第２種ＬＥＤ４６が調光下限値に到達する。
第１種ＬＥＤ４５が調光下限値において点灯中に第２種ＬＥＤ４６が調光下限値に到達したことにより、光源点灯回路３７は、時点Ｔ２においてフェード制御のモードに切り換えられる。
これにより、第１種ＬＥＤ４５および第２種ＬＥＤ４６が、いずれも時点Ｔ３までの時間の間に、明るさを徐々に下げられるフェード制御される。
従って、フェード制御が行われた後の時点Ｔ３において、第１種ＬＥＤ４５および第２種ＬＥＤ４６がいずれも消灯に至る。
なお、フェード制御の時間は、使用者により任意に変更されて設定できる。
【００２４】
図７に示すように、光源点灯回路３７は、具体的に、時点Ｔ１０において第１種ＬＥＤ４５が調光下限値に到達した際に、第１回路ブロック４１により、第１種ＬＥＤ４５の調光下限のデューティ比を維持する。
このとき、第２回路ブロック４２は、第２種ＬＥＤ４６を調光下限へ調光中である。
時点Ｔ１０の以後の時点Ｔ１１において、第１回路ブロック４１から第１種ＬＥＤ４５への調光下限値と、第２回路ブロック４２から第２種ＬＥＤ４６への調光下限値とが一致する。
これに伴い、時点Ｔ１１の以後の時点Ｔ１２においてフェード制御が開始される。そして、時点Ｔ１２の以後の時点Ｔ１３までの間、フェード制御が行われてフェード制御が完了した後に、消灯指示が行われることになる。
【００２５】
このように、光源点灯回路３７は、調光操作により、第１種ＬＥＤ４５が調光下限となった後に、第２種ＬＥＤ４６が調光下限にきたときからの調光下限値以下の領域において消灯用のフェード制御を実行する。
従って、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
そして、光色Ｂの第２種ＬＥＤ４６が調光下限値に到達した後に、第１種ＬＥＤ４５および第２種ＬＥＤ４６がフェード制御されて消灯に至る。
これにより、光色Ｂの第２種ＬＥＤ４６の光のみが目立って使用者に違和感を与えることがないので、使用者への違和感を防止できる。
【００２６】
以上、説明したように一実施形態の照明器具１０によれば、光源点灯回路３７が、調光操作により、第１種ＬＥＤ４５が調光下限となった後に、第２種ＬＥＤ４６が調光下限にきたときに第１種ＬＥＤ４５および第２種ＬＥＤ４６を消灯させる。
そして、一実施形態の照明器具１０によれば、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
従って、一実施形態の照明器具１０によれば、光色Ｂの第２種ＬＥＤ４６の光のみが目立って使用者に違和感を与えることがないので、使用者への違和感を防止できる。
【００２７】
また、一実施形態の照明器具１０によれば、光源点灯回路３７が、調光操作により、第１種ＬＥＤ４５が調光下限となった後に、第２種ＬＥＤ４６が調光下限にきたときからの調光下限値以下の領域において消灯用のフェード制御を実行する。
そして、一実施形態の照明器具１０によれば、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
さらに、一実施形態の照明器具１０によれば、光色Ｂの第２種ＬＥＤ４６が調光下限値に到達した後に、第１種ＬＥＤ４５および第２種ＬＥＤ４６がフェード制御されて消灯に至る。
従って、一実施形態の照明器具１０によれば、光色Ｂの第２種ＬＥＤ４６の光のみが目立って使用者に違和感を与えることがないので、使用者への違和感を防止できる。
【００２８】
加えて、一実施形態の照明器具１０によれば、調光下限への途中で第１種ＬＥＤ４５が消灯してしまった場合に、調光上限へ再度切り換えた際に、電源の能力不足により、消灯された第１種ＬＥＤ４５が点灯を行えなくなることを防止できる。
【００２９】
さらに、一実施形態の照明器具１０によれば、上部ＬＥＤユニット１２の第２上部ＬＥＤユニット３０が、照射方向を部屋内のテレビの背面に向けて配置されることにより、テレビの背面を明るく照射して光の演出ができる。
【００３０】
なお、本発明の照明器具において器具本体，上部枠，上部パネル，反射板，受光ユニット，下部パネル等は、前述した一実施形態に限定されるものでなく、適宜な変形や改良等が可能である。
【符号の説明】
【００３１】
１０  照明器具
３７  光源点灯回路
４５  第１種ＬＥＤ（光源）
４６  第２種ＬＥＤ（光源）
４７  第３種ＬＥＤ（光源）
４８  第４種ＬＥＤ（光源）
【図１】
0005669093.tif 000002
【図２】
0005669093.tif 000003
【図３】
0005669093.tif 000004
【図４】
0005669093.tif 000005
【図５】
0005669093.tif 000006
【図６】
0005669093.tif 000007
【図７】
0005669093.tif 000008